(57)【要約】【課題】  陳列室内を冷／温使用可能なオープンショーケースにおいて、冷却領域を変更した際にも適切な冷気エアーカーテンを構成する。【解決手段】  オープンショーケース１は、断熱壁３内に前面に開口する陳列室１１を構成し、陳列室１１内に商品陳列用の棚４を架設すると共に、冷却器１５と熱交換した冷気を送風機１９によって開口に吐出することにより、当該開口に冷気エアーカーテンを構成する。棚上の商品を加温するための電気ヒータを備え、陳列室内に電気ヒータにて加温される加温領域と、その下方において棚の前部から吐出される冷気により開口に冷気エアーカーテンが構成される冷却領域とを構成可能とすると共に、陳列室内における冷却領域の割合に応じて送風機の回転数を調整する制御装置を設けた。【選択図】図２
2006003021.tif 000002
【特許請求の範囲】
【請求項１】
断熱壁内に前面に開口する陳列室を構成し、該陳列室内に商品陳列用の棚を架設すると共に、冷却器と熱交換した冷気を送風機によって前記開口に吐出することにより、当該開口に冷気エアーカーテンを構成して成るオープンショーケースにおいて、
前記棚上の商品を加温するためのヒータを備え、
前記陳列室内に前記ヒータにて加温される加温領域と、その下方において前記棚の前部から吐出される冷気により開口に冷気エアーカーテンが構成される冷却領域とを構成可能とすると共に、前記陳列室内における前記冷却領域の割合に応じて前記送風機の回転数を調整する制御装置を設けたことを特徴とするオープンショーケース。
【請求項２】
前記制御装置は、前記陳列室全体が冷却領域とされる場合と、当該陳列室内に前記加温領域と前記冷却領域とが構成される場合とに応じて前記送風機の回転数を調整することを特徴とする請求項１のオープンショーケース。
【請求項３】
前記制御装置は、前記加温領域と冷却領域とが構成される場合に前記送風機の回転数を低下させることを特徴とする請求項２のオープンショーケース。
【請求項４】
前記棚は前記陳列室内に複数段架設され、前記ヒータにて加温される最下段の棚の前部から冷気を吐出して開口に冷気エアーカーテンを構成すると共に、
前記制御装置は、前記ヒータにより加温される前記棚の段数に応じて前記送風機の回転数を調整することを特徴とする請求項１のオープンショーケース。
【請求項５】
前記制御装置は、前記ヒータにより加温される棚の段数が増加するのに応じて前記送風機の回転数を低下させることを特徴とする請求項４にオープンショーケース。
【発明の詳細な説明】
【技術分野】
【０００１】
本発明は、断熱壁内に前面に開口する陳列室を構成し、この陳列室内に商品陳列用の棚を架設して成るオープンショーケースに関するものである。
【背景技術】
【０００２】
従来よりスーパーマーケットやコンビニエンスストアなどに設置される冷／温使用可能なオープンタイプの低温ショーケース（オープンショーケース）は、断熱壁の内側に間隔を存して設けた仕切板との間にダクトを構成し、仕切板の内側には前面に開口した陳列室を構成すると共に、ダクトには冷却装置の冷却器と送風機を設置し、この冷却器と熱交換した冷気を送風機により陳列室内に吐出する構成とされている。
【０００３】
この場合、陳列室の開口上縁には冷気吐出口が形成されると共に、開口下縁には冷気吸込口が形成され、何れもダクトに連通されている。そして、この開口上縁の冷気吐出口から冷気を吹き出して開口に冷気エアーカーテンを構成しつつ陳列室内を冷却し、吹き出された冷気は開口下縁の冷気吸込口から吸引するものであった。
【０００４】
更に、この陳列室内には、複数段の棚が架設される。棚は、内部に棚ダクト（冷気通路）が構成されており、後端は断熱箱体の背方におけるダクトと連通している。また、棚の前端には、棚ダクトと連通する棚下の冷気吐出口が形成されている。これにより、背方のダクト内を上昇した冷気を棚ダクト内に引き込み、該棚の前端に形成された棚下の冷気吐出口より吐出することにより、該棚下方の陳列室内の商品を冷却できるように構成されている（冷却領域。特許文献１参照）。そして、当該棚上方の陳列室内の商品は、棚に取り付けた電気ヒータにて加温可能とされていた（加温領域）。
【特許文献１】特開２０００−２５８０３１号公報
【発明の開示】
【発明が解決しようとする課題】
【０００５】
ここで、オープンショーケースでは通常陳列室全体を冷却領域とする場合、即ち、開口上縁の冷気吐出口から冷気を吐出して陳列室の開口全域に冷気エアーカーテンを構成する場合を想定して送風機の能力（ファン寸法やモータ出力）を選定している。そのため、冷／温使用する場合には、冷気エアーカーテンを構成する間口が小さくなり、また、棚下から吐出するためのダクト寸法の小さくなる関係上、冷気エアーカーテンの風速が適切にならず、早過ぎて外気の巻き込みが増大し、陳列室内壁や棚の先端部等に結露が発生する問題があった。
【０００６】
本発明は、係る従来の技術的課題を解決するために成されたものであり、陳列室内を冷／温使用可能なオープンショーケースにおいて、冷却領域を変更した際にも適切な冷気エアーカーテンを構成することを目的とする。
【課題を解決するための手段】
【０００７】
本発明のオープンショーケースは、断熱壁内に前面に開口する陳列室を構成し、この陳列室内に商品陳列用の棚を架設すると共に、冷却器と熱交換した冷気を送風機によって開口に吐出することにより、当該開口に冷気エアーカーテンを構成して成るものであって、棚上の商品を加温するためのヒータを備え、陳列室内にヒータにて加温される加温領域と、その下方において棚の前部から吐出される冷気により開口に冷気エアーカーテンが構成される冷却領域とを構成可能とすると共に、陳列室内における冷却領域の割合に応じて送風機の回転数を調整する制御装置を設けたものである。
【０００８】
請求項２の発明のオープンショーケースは、上記において制御装置は、陳列室全体が冷却領域とされる場合と、当該陳列室内に加温領域と冷却領域とが構成される場合とに応じて送風機の回転数を調整することを特徴とする。
【０００９】
請求項３の発明のオープンショーケースは、上記において制御装置は、加温領域と冷却領域とが構成される場合に送風機の回転数を低下させることを特徴とする。
【００１０】
請求項４の発明のオープンショーケースは、請求項１において棚は陳列室内に複数段架設され、ヒータにて加温される最下段の棚の前部から冷気を吐出して開口に冷気エアーカーテンを構成すると共に、制御装置は、ヒータにより加温される棚の段数に応じて送風機の回転数を調整することを特徴とする。
【００１１】
請求項５の発明のオープンショーケースは、上記において制御装置は、ヒータにより加温される棚の段数が増加するのに応じて送風機の回転数を低下させることを特徴とする。
【発明の効果】
【００１２】
本発明では、断熱壁内に前面に開口する陳列室を構成し、この陳列室内に商品陳列用の棚を架設すると共に、冷却器と熱交換した冷気を送風機によって開口に吐出することにより、当該開口に冷気エアーカーテンを構成して成るオープンショーケースにおいて、棚上の商品を加温するためのヒータを備え、陳列室内にヒータにて加温される加温領域と、その下方において棚の前部から吐出される冷気により開口に冷気エアーカーテンが構成される冷却領域とを構成可能とすると共に、陳列室内における冷却領域の割合に応じて送風機の回転数を調整する制御装置を設けたので、所謂冷／温使用可能なオープンショーケースにおいて、例えば請求項２の如く制御装置により、陳列室全体が冷却領域とされる場合と、当該陳列室内に加温領域と冷却領域とが構成される場合とに応じて送風機の回転数を調整すると共に、請求項３の如く加温領域と冷却領域とが構成される場合に送風機の回転数を低下させるように制御すれば、陳列室全体が冷却領域とされる場合の冷気エアーカーテンの風速を確保しながら、加温領域と冷却領域とが構成される場合にも、冷気エアーカーテンの風速を適切な値まで落とし、外気の巻き込みによる結露の発生や冷却能力の悪化を未然に回避若しくは抑制することができるようになる。
【００１３】
また、例えば請求項４の如く棚が陳列室内に複数段架設されており、ヒータにて加温される最下段の棚の前部から冷気を吐出して開口に冷気エアーカーテンを構成する場合、制御装置によって、ヒータにより加温される棚の段数に応じて送風機の回転数を調整し、請求項５の如くヒータにより加温される棚の段数が増加するのに応じて送風機の回転数を低下させれば、冷却領域が縮小されていくに応じて冷気エアーカーテンの風速を適切な値まで落としていくことが可能となる。これによって、より的確に冷気エアーカーテンの風速を制御し、陳列室内の結露軽減と侵入熱負荷低減をより効果的に実現することが可能となる。
【発明を実施するための最良の形態】
【００１４】
以下、本発明の実施形態を図面に基づき詳細に説明する。
【実施例１】
【００１５】
図１は本発明を適用した一実施例のオープンショーケース１の斜視図、図２はオープンショーケース１の縦断側面図をそれぞれ示している。実施例のオープンショーケース１はスーパーマーケット等の店舗に設置される冷／温使用可能な低温ショーケースであり、前面に開口する断面略コ字状の断熱壁３と、その両側に取り付けられる側板２、２によって本体が構成されており、この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。
【００１６】
また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００１７】
背面ダクト９の上端は陳列室１１の前面開口上縁に位置する上部冷気吐出口１６に連通し、下部ダクト１４の前端は陳列室１１の前面開口下縁に位置する冷気吸込口１７に連通している。また、デッキパン１０の下方の下部ダクト１４内には冷気送給用の送風機１９が配設され、陳列室１１後方の背面ダクト９内には冷却装置の冷凍サイクルを構成する冷却器１５が縦設されている。
【００１８】
陳列室１１内には棚４、４Ａが複数段、本実施例では上下に６段架設されている。最下段の棚４Ａを除く各棚４（上から５段目まで）は、後端に後方に突出する鉤状の爪を有した左右一対のブラケット２１、２１と、このブラケット２１、２１上に差し渡して取り付けられた棚板２２と、この棚板２２の下面に取り付けられた加温用の電気ヒータ（ヒータ。図４参照）Ｈとから構成されている。
【００１９】
そして、陳列室１１内の背面パネル６の前面両側に取り付けられた棚支柱２３の係合孔に前記ブラケット２１の爪を係脱自在に係合させることにより、各棚４は陳列室１１内において上下位置（高さ）を変更可能に架設されている。
【００２０】
次に、５は棚ダクト部材である。この棚ダクト部材５内には棚ダクトが構成されており、この棚ダクトの前端は棚ダクト部材５の前端において斜め前下方に開口する棚下冷気吐出口２７に連通され、後端は冷気導入口にて開口している。また、この棚ダクト部材５には冷気導入口の上側にて前後方向に移動自在に取り付けられたダンパー部材２４が設けられている。
【００２１】
一方、各棚４の左右のブラケット２１、２１には上記棚ダクト部材５が係脱自在にそれぞれ係合する保持レールが前後にそれぞれ形成されている。そして、この保持レールに差し込むかたちで棚ダクト部材５を前方からブラケット２１、２１間に着脱自在に取り付ける。この状態で、棚ダクト部材５は棚４の棚板２２下側に位置し、前端の棚下冷気吐出口２７は陳列室１１の前面開口部において下方に開口することになる。
【００２２】
他方、背面パネル６には移動形成可能な連通部が構成されており、棚ダクト部材５の後端の冷気導入口をこの連通部に対応させ、内部の棚ダクトを背面ダクト９に連通させる。ダンパー部材２４は背面ダクト９に突出し、連通部の上側において背面ダクト９を塞ぐことができるように構成されている。
【００２３】
そして、例えば図２に実線で示すように棚ダクト部材５を上から４段目の棚４に取り付けるとすると、先ずその後方に位置して前記連通部を構成し、その状態で上から４段目の棚４に棚ダクト部材５を取り付け、その冷気導入口を連通部に対応させる。そして、陳列室１１内全体を冷却使用とする場合には、ダンパー部材２４を最も前方に移動させ、背面ダクト９より前に位置させる。
【００２４】
この状態で、送風機１９が運転されると、冷却器１５を熱交換した冷気は背面ダクト９内を上昇し、上部冷気吐出口１６から吐出される。吐出された冷気は陳列室１１の前面開口部に冷気エアーカーテンを構成しながら陳列室１１内を冷却する。そして、冷気吸込口１７から下部ダクト１４に吸引され、再び送風機１９に吸い込まれる循環を繰り返す。これによって、陳列室１１内の全域が冷蔵（若しくは冷凍）温度に冷却され、全棚板２２上の商品が冷却されることになる。
【００２５】
次に、上から４段目の棚４から上を加温領域として加温使用し、下を冷却領域として冷却使用する場合には、ダンパー部材２４を最も後方に移動させ、最上段、上から２段目、上から３段目及び上から４段目の棚４・・・の電気ヒータＨを発熱させる。尚、後述する如く各棚４には棚ダクト部材５が取り付けられたことを検出する棚スイッチ２５がそれぞれ設けられており（図３参照）、棚ダクト部材５が取り付けられ、棚スイッチ２５がＯＮした場合には当該棚４を含むその上方の全ての棚４の電気ヒータＨに通電するよう制御される。そして、ダンパー部材２４は連通部より上に向かう冷気を遮断するので、上部冷気吐出口１６からの冷気吐出は無くなり、代わりに電気ヒータＨにて加熱されるようになるので、上から４段目の棚４から上の陳列室１１内は加温領域となる。
【００２６】
他方、ダンパー部材２４に衝突した冷気は前方に曲がり、連通部から棚ダクト内に入る。そして、棚ダクト部材５前端の棚下冷気吐出口２７から下方に向けて吐出されるようになる。棚下冷気吐出口２７から吐出された冷気は４段目の棚４より下方の陳列室１１の前面開口部に冷気エアーカーテンを構成しながら４段目の棚４より下方の陳列室１１内を循環して冷却した後、冷気吸込口１７から吸い込まれる。これにより、４段目の棚４より下方の陳列室１１内が冷却領域となる。
【００２７】
尚、図２に破線で示すように上から２段目の棚４に棚ダクト部材５を取り付けた場合にも同様であり、その場合は２段目の棚４以上の陳列室１１内が加温領域となり、２段目の棚４より下方の陳列室１１内が冷却領域となる。また、同様に３段目の棚４に棚ダクト部材５を取り付けた場合には、３段目の棚４以上の陳列室１１内が加温領域となり、３段目の棚４より下方の陳列室１１内が冷却領域となる。
【００２８】
また、陳列室１１の全体を加温領域とする場合は、冷却装置及び送風機１９を停止し、全段の棚４の電気ヒータＨを発熱させて棚板２２上の商品を加温することになる。最下段の棚４Ａも同様のブラケット２１と棚板２２から構成されるが、棚板２２上は加温しないか、別途電気ヒータを設けて加温するものとする。
【００２９】
次に、図３及び図４はオープンショーケース１のコントロールボックス３０内に設けられた制御装置３１のヒータＨの制御と送風機１９の制御に関する電気回路図を示している。図中３２は冷／温切換スイッチであり、単相交流２００Ｖ電源（ＡＣ電源）に接続されたコモン接点を、冷接点、冷／温接点、温接点の何れかに手動で切り換えるものである。そして、この冷／温切換スイッチ３２の冷／温接点とＡＣ電源間に補助リレー３３が接続されている。
【００３０】
３４はトランスであり、その一次側は補助リレー３３の常開接点３３Ａと直列にＡＣ電源間に接続され、冷／温切換スイッチ３２の温接点はこれら常開接点３３Ａとトランス３４間に接続されている。３６は図４に示すリレー基板であり、このリレー基板３６によって各棚４・・・・の電気ヒータＨ・・・・への通電が制御される。そして、このリレー基板３６は汎用マイクロコンピュータから構成された加温用コントローラ３７により制御され、加温用コントローラ３７には前記棚スイッチ２５を備えた表示基板３８が接続されている。
【００３１】
３９はＤＣ（直流）電源であり、このＤＣ電源３９は冷／温切換スイッチ３２の冷接点とＡＣ電源間に接続されている。４１は送風機１９の回転数を制御する送風機コントローラであり、この送風機コントローラ４１はＤＣ電源３９に接続され、送風機コントローラ４１に前記送風機１９が接続されている。そして、４２は汎用マイクロコンピュータから構成された冷却用コントローラであり、この冷却用コントローラ４２には温調入力の他警報出力が設けられると共に、前記送風機コントローラ４１はこの冷却用コントローラ４２によって制御される。
【００３２】
４３、４４は天面パネル７と棚ダクト部材５に設けられた結露防止用の電気ヒータであり、電気ヒータ４３は冷／温切換スイッチ３２の冷接点とＡＣ電源間に接続され、電気ヒータ４４は補助リレー４６の常開接点４６Ａと直列に補助リレー３３の切換接点３３Ｂの常閉接点とＡＣ電源間に接続されている。また、補助リレー４６は切換接点３３Ｂの常開接点とＡＣ電源間に接続され、この常開接点と補助リレー４６間には前記冷／温切換スイッチ３２の冷接点が接続されている。また、切換接点３３ＢのコモンはＡＣ電源に接続されている。
【００３３】
そして、本発明では送風機コントローラ４１がＡＣ電源と冷／温切換スイッチ３２の冷／温接点間にも接続される構成とされている。
【００３４】
（１）冷却使用
以上の構成で次に動作を説明する。今、棚ダクト部材５は図２に実線で示すように上から４段目の棚４に取り付けられているものとする。先ず、陳列室１１全体を冷却領域として冷却使用する場合には、前述の如くダンパー部材２４を最も前方に移動させ、背面ダクト９より前に位置させる。そして、冷／温切換スイッチ３２は冷接点に閉じる。これにより、補助リレー３３には通電されないので、常開接点３３Ａは開いており、従って、トランス３４には通電されず、そのため、リレー基板３６を介して棚４の電気ヒータＨには通電は不能となる。
【００３５】
また、切換接点３３Ｂは常閉接点に閉じており、補助リレー４６は通電されるので常開接点４６Ａは閉じ、これにより、両結露防止用の電気ヒータ４３、４４には通電されて発熱する。この状態でＤＣ電源３９に給電されるので、送風機コントローラ４１にはＤＣ電源３９から直流電圧が印加され、送風機１９は運転可能となる。この場合、送風機コントローラ４１にはＡＣ電源が印加されないので、係る状況では送風機コントローラ４１は送風機１９を最高回転数で運転するように制御することになる。
【００３６】
冷却用コントローラ４２には陳列室１１内への吐出冷気の温度などの温調入力が行われ、所定の上限温度で冷却器１５への冷媒供給を制御する液電磁弁を開き、所定の下限温度で閉じる制御を行う。また、送風機コントローラ４１には連続して送風機１９を運転するように制御指令を出す。
【００３７】
これにより、冷却器１５には図示しない減圧装置（膨張弁やキャピラリチューブ）にて減圧された冷媒が供給されて蒸発し、冷却作用を発揮する。この冷却器１５と熱交換した冷気は最高回転数で運転されている送風機１９によって背面ダクト９内を吹き上げられ、上部冷気吐出口１６から最大風速で吐出される。吐出された冷気は陳列室１１の前面開口部に冷気エアーカーテンを構成しながら陳列室１１内を冷却する。そして、冷気吸込口１７から下部ダクト１４に吸引され、再び送風機１９に吸い込まれる循環を繰り返す。これによって、陳列室１１内の全域が冷蔵（若しくは冷凍）温度に冷却され、全棚板２２上の商品が冷却される。
【００３８】
（２）冷／温使用
次に、例えば上から４段目の棚４までの陳列室１１内を加温領域とし、４段目の棚４下方の陳列室１１内を冷却領域として冷／温使用する場合は、図２の状態でダンパー部材２４を後方に移動させて背面ダクト９に突出させ、連通部の上側において背面ダクト９を塞ぐ。そして、冷／温切換スイッチ３２を冷／温接点に切り換えて閉じる。これによって、補助リレー３３が通電されるので、常開接点３３Ａは閉じ、トランス３４に給電されて棚４の電気ヒータＨは通電可能な状態となる。棚ダクト部材５が上から４段目の棚４に取り付けられていることから、上から４段目の棚４の棚スイッチ２５が閉じるため、加温用コントローラ３７はリレー基板３６によって上から４段目を含む最上段、上から２段目、上から３段目の計４段の棚４の電気ヒータＨに通電して各棚４上の商品を加温する。これにおり、上から４段目の棚４以上の陳列室１１内は加温領域となる。
【００３９】
一方、切換接点３３Ｂは常開接点に閉じるので、補助リレー４６に通電されて常開接点４６Ａが閉じ、両電気ヒータ４３、４４は引き続き通電される。また、切換接点３３Ｂの常開接点を介してＤＣ電源３９にも給電されるので、送風機コントローラ４１にはＤＣ電源３９から直流電圧が印加され、送風機１９は引き続き運転可能となる。しかしながら、この場合送風機コントローラ４１には冷／温切換スイッチ３２の冷／温接点を介してＡＣ電源が印加されるので、係る状況では送風機コントローラ４１は送風機１９の回転数を落として（例えば最高回転数の６０％〜８０％の中速回転）運転するように制御する。
【００４０】
冷却用コントローラ４２には前述同様に陳列室１１内への吐出冷気（この場合は棚下冷気吐出口２７から吐出される冷気）の温度などの温調入力が行われ、所定の上限温度で冷却器１５への冷媒供給を制御する液電磁弁を開き、所定の下限温度で閉じる制御を行う。また、送風機コントローラ４１には連続して送風機１９を運転するように制御指令を出す。
【００４１】
これにより、冷却器１５には図示しない減圧装置（膨張弁やキャピラリチューブ）にて減圧された冷媒が供給されて蒸発し、冷却作用を発揮する。この冷却器１５と熱交換した冷気は中速回転で運転されている送風機１９によって背面ダクト９内を吹き上げられ、ダンパー部材２４に衝突して前方に曲がり、連通部から棚ダクト内に入る。そして、棚ダクト部材５前端の棚下冷気吐出口２７から下方に向けて吐出される。棚下冷気吐出口２７から吐出された冷気は４段目の棚４より下方の陳列室１１の前面開口部に冷気エアーカーテンを構成しながら４段目の棚４より下方の陳列室１１内を循環して冷却した後、冷気吸込口１７から吸い込まれる。これにより、４段目の棚４より下方の陳列室１１内が冷却領域となる。
【００４２】
ここで、係る冷／温使用時には陳列室１１全体に対して冷却領域の割合は小さくなり（実施例では半分以下）、当該冷却領域の開口部における棚下冷気吐出口２７と冷気吸込口１７の距離は、陳列室１１内全域を冷却領域としたときの上部冷気吐出口１６から冷気吸込口１７までの距離よりの半分以下まで短くなるので、前述の如き最高回転数で送風機１９を運転すると、棚ダクト部材５内の棚ダクトの通路面積が狭いことも重なって、棚下冷気吐出口２７から吐出される冷気の流速が、冷却領域の開口部の間口に対して早くなり過ぎる。そのため、外気を必要以上に巻き込んでしまい、却って外気の侵入量が増大してしまうが、実施例のように送風機１９の回転数を中速（前記最高回転数の６０％〜８０％）に落とすことにより、係る間口に最適な風速に冷気エアーカーテンを保ち、係る外気侵入による結露の増大や冷却能力の悪化を防止することができるようになる。
【００４３】
（３）加温使用
次に、陳列室１１内全体を加温して使用する場合には、冷／温切換スイッチ３２を温接点に閉じる。これにより、トランス３４には引き続き給電されるので、棚４の電気ヒータＨには通電可能となる。そして、この場合は加温用コントローラ３７は全ての棚４の電気ヒータＨに通電を行うように制御する。また、補助リレー３３には通電されないので、切換接点３３Ｂは常閉接点に閉じており、従って、電気ヒータ４３、４４への通電は停止し、ＤＣ電源３９にも給電されなくなる。従って、送風機１９は停止する。これにより、陳列室１１内全体が加温領域となる。
【実施例２】
【００４４】
次に、図５は本発明のオープンショーケース１の制御装置３１のもう一つの電気回路図を示している。尚、電気ヒータＨに通電するリレー基板３６は前述したものと同様であり、この図において図３と同一符号で示すものは同一とする。但し、この場合は送風機コントローラ４１に冷／温切換スイッチ３２の冷／温接点とＡＣ電源間には接続されず、その代わりに加温用コントローラ３７からの情報が送風機コントローラ４１に入力されている。
【００４５】
以上の構成で上述した冷却使用と加温使用については同様であるので説明を省略する。一方、冷／温切換スイッチ３２が冷／温接点に閉じられた冷／温使用時には、補助リレー３３に通電されるため常開接点３３Ａが閉じ、トランス３４に通電されて前述同様に棚４の電気ヒータＨに通電可能となる。例えば、前述同様に上から４段目の棚４に棚ダクト部材５が取り付けられたものとすると、棚スイッチ２５の状態から前述同様に加温用コントローラ３７は上から最上段、上から２段目、上から３段目及び上から４段目の棚４の電気ヒータＨに通電して上から４段目の棚４から上の陳列室１１内を加温領域とする。
【００４６】
一方、前述同様に切換接点３３Ｂが常開接点に閉じることでＤＣ電源３９にも通電されるので、送風機コントローラ４１により送風機１９は運転可能となる。冷却用コントローラ４２は前述の冷／温使用時同様に動作し、冷却器１５で冷媒を蒸発させ、熱交換した冷気を送風機１９で棚下冷気吐出口２７から吐出して冷気エアーカーテンを構成し、上から４段目の棚４より下方の陳列室１１内を冷却領域とする。
【００４７】
但し、この場合、送風機コントローラ４１には加温用コントローラ３７から棚ダクト部材５が取り付けられた棚４に関する情報が入力される。今、棚ダクト部材５は上から４段目の棚４に取り付けられているので、加温用コントローラ３７からは上から４段目までの電気ヒータＨに通電が行われて加温領域となる情報が送風機コントローラ４１に入力される。
【００４８】
送風機コントローラ４１は、係る情報に基づいて送風機１９の回転数を決定する。例えば、前述の如く上から４段目の棚４までが加温領域となる場合には、送風機１９の回転数を最高回転数の例えば６０％まで落として運転する。また、棚ダクト部材５が例えば図２に破線で示すように上から３段目の棚４に取り付けられた場合には、その情報も加温用コントローラ３７から送風機コントローラ４１に送られ、送風機コントローラ４１は送風機１９の回転数を最高回転数の例えば７０％まで落として運転する。更に、棚ダクト部材５が例えば図２に破線で示すように上から２段目の棚４に取り付けられた場合には、その情報も加温用コントローラ３７から送風機コントローラ４１に送られ、送風機コントローラ４１は送風機１９の回転数を最高回転数の例えば８０％まで落として運転する。
【００４９】
このように、電気ヒータＨにより加温される棚４の段数に応じて送風機１９の回転数を調整し、電気ヒータＨにより加温される棚４の段数が増加し、陳列室１１全体に対する冷却領域の割合が小さくなるのに応じて送風機１９の回転数を低下させれば、冷却領域が縮小されていくに応じて冷気エアーカーテンの風速を適切な値まで落としていくことが可能となる。これによって、より的確に冷気エアーカーテンの風速を制御し、陳列室１１内の結露軽減と侵入熱負荷低減をより効果的に実現することが可能となる。
【図面の簡単な説明】
【００５０】
【図１】本発明を適用したオープンショーケースの斜視図である。
【図２】図１のオープンショーケースの縦断側面図である。
【図３】図１のオープンショーケースの制御装置の電気回路図である（実施例１）。
【図４】同じく図１のオープンショーケースの制御装置の電気回路図である。
【図５】本発明の他の実施例のオープンショーケースの制御装置の電気回路図である（実施例２）。
【符号の説明】
【００５１】
１  オープンショーケース
３  断熱壁
４  棚
５  棚ダクト部材
６  背面パネル
９  背面ダクト
１１  陳列室
１５  冷却器
１６  上部冷気吐出口
１９  送風機
２２  棚板
２７  棚下冷気吐出口
３１  制御装置
３２  冷／温切換スイッチ
３７  加温用コントローラ
４１  送風機コントローラ
４２  冷却用コントローラ
Ｈ  電気ヒータ
【図１】
2006003021.tif 000003
【図２】
2006003021.tif 000004
【図３】
2006003021.tif 000005
【図４】
2006003021.tif 000006
【図５】
2006003021.tif 000007